(57)【要約】【課題】ヘアキャッチャーの取っ手に髪の毛が引っ掛かることのない、汚れにくい取っ手を有するヘアキャッチャーを提供する。【解決手段】排水枡６の上面に設置された、脚部８ａを有する排水口カバー８の下方に設けられるヘアキャッチャー１７であって、このヘアキャッチャー１７には、排水口カバー８の脚部８ａ方向へ延びるガイド部１７ｄ，１７ｐを有する取っ手１７ｃが備えられている。【選択図】図７
2008082114.tif 000002
【特許請求の範囲】
【請求項１】
排水枡の上面に設置された脚部を有する排水口カバーの下方に設けられるヘアキャッチャーであって、
該ヘアキャッチャーには、前記排水口カバーの脚部方向へ延びるガイド部を有する取っ手が備えられていることを特徴とするヘアキャッチャー。
【請求項２】
前記ヘアキャッチャーには、前記取っ手のガイド部を前記排水口カバーの脚部に向かって位置決めできる係止部が設けられていることを特徴とする請求項１に記載のヘアキャッチャー。
【発明の詳細な説明】
【技術分野】
【０００１】
本発明は、排水中に混入される髪の毛を捕集することのできるヘアキャッチャーに関するものである。
【背景技術】
【０００２】
従来、特許文献１に開示されているように、排水口に設置されるストレーナの取っ手に髪の毛が巻き付くのを防ぐことのできる浴室の排水装置が存在する。
【特許文献１】特開２００６−２４２３号公報
【発明の開示】
【発明が解決しようとする課題】
【０００３】
上記特許文献１に開示されているストレーナは、排水口に覆設される排水口カバーとの関係は考慮されていないものであり、排水口カバーの脚部により、脚部の両側へ振り分けられた排水中に混入される髪の毛が、ストレーナの取っ手に引っ掛かる場合があるという問題点があった。
【課題を解決するための手段】
【０００４】
本発明は上記従来の問題点に鑑み案出したものであって、取っ手に髪の毛が引っ掛かることがなく、取っ手が汚くならないヘアキャッチャーを提供せんとするものであり、その請求項１は、排水枡の上面に設置された脚部を有する排水口カバーの下方に設けられるヘアキャッチャーであって、該ヘアキャッチャーには、前記排水口カバーの脚部方向へ延びるガイド部を有する取っ手が備えられていることである。
【０００５】
また、請求項２は、前記ヘアキャッチャーには、前記取っ手のガイド部を前記排水口カバーの脚部に向かって位置決めできる係止部が設けられていることである。
【発明の効果】
【０００６】
本発明は、排水枡の上面に設置された脚部を有する排水口カバーの下方に設けられるヘアキャッチャーであって、該ヘアキャッチャーには、前記排水口カバーの脚部方向へ延びるガイド部を有する取っ手が備えられていることにより、排水口カバーの脚部により脚部両側へ振り分けられた排水中に混入される髪の毛が、ガイド部によりガイドされてヘアキャッチャーの内部へ誘導され、良好にヘアキャッチャー内部に髪の毛を捕集することができ、ヘアキャッチャーの取っ手には髪の毛が引っ掛かりにくいものとなり、取っ手を綺麗な状態に維持することができる。
【０００７】
また、前記ヘアキャッチャーには、前記取っ手のガイド部を前記排水口カバーの脚部に向かって位置決めできる係止部が設けられていることにより、ヘアキャッチャーを取り付ける際に、係止部により良好に位置決めして取り付けることができ、ヘアキャッチャーの取付状態では取っ手のガイド部を排水口カバーの脚部方向へ良好に向けることができるものとなる。
【実施例】
【０００８】
以下、本発明の実施例を図面に基づいて説明する。
図１は、浴室の概略斜視構成図であり、洗い場を形成する洗い場パン２と浴槽３間にエプロン４が立設され、このエプロン４側の洗い場パン２には凹み状に排水枡６が一体形成されており、排水枡６の下部に排水トラップ７が連結されている。
排水トラップ７の側面には、排水パイプ９が接続されており、排水パイプ９は浴槽３の底面に設けられている排水口に連通して、浴槽３内の浴槽排水が排水パイプ９を通り排水トラップ７内に流入されるものである。
【０００９】
また、排水トラップ７には、洗い場２側からの排水が排水枡６を通り上方より流入される洗い場排水流入用の開口Ａが設けられており、排水トラップ７の周側面には排出管１４が接続されて、排出管１４を通し排水できるように構成されている。
また、排水トラップ７には、浴槽３の側壁に設けられている追焚循環口から漏れる水を受け止める追焚循環口受けトレー１３からの排水がトレー排水管２５を介して流入され、また、入口ドアの下面のレールに垂設されているドア下排水受け１１に溜まった排水がドア下排水管１２を介して流入されるように構成されている。
【００１０】
図２は、排水トラップの縦断面構成図であり、また図３は、排水トラップを水平面内で切断した平面構成図である。また図４は、排水トラップを上方から見た斜視構成図であり、図５は、排水トラップを流出口側から見た斜視構成図である。
排水枡６の底側にはフランジ部材１５がパッキンを介して取り付けられ、このフランジ部材１５にネジで排水トラップ７の上端が取り付けられており、フランジ部材１５内には上方から着脱可能にヘアキャッチャー１７が取り付けられている。
【００１１】
このヘアキャッチャー１７の下端付近で排水トラップ７の側面に浴槽排水流入口１９が開口形成されており、浴槽排水流入口１９は、排水トラップ７の底面７ｂ側からヘアキャッチャー１７の下端よりも高い位置まで縦方向に延びる縦長状に形成されて、流入される浴槽排水の流速が増すように平面視オリフィス状を成している。なお、浴槽排水流入口１９は、排水トラップ７の円形内周面７ａと遮蔽部材１８で形成される円形内周面側に指向して開口されている。
この浴槽排水流入口１９には、外側へ突出状に接続部１９ａが連続しており、この接続部１９ａに前記浴槽３側から排水パイプ９が接続されるものである。
【００１２】
また、排水トラップ７の側面には、浴槽排水流入口１９と略反対側に流出口２０が形成されており、この流出口２０には前記排出管１４が接続されるものである。
流出口２０の上流側には、底面７ｂより一体状に立ち上げて封水壁２１が形成されており、この封水壁２１の上端が封水面Ｗとなるものである。
この封水壁２１の上流側には、排水トラップ７の天面７ｅから垂設された遮蔽部材１８が縦設されており、この遮蔽部材１８は、下端側から上方側に向かって拡径状に傾斜して縦設されたものであり、排水トラップ７の内周面７ａと連続して平面視略円形状の内周面を形成するように浴槽排水流入口１９に対して湾曲状に配置されている。
なお、遮蔽部材１８は排水トラップ７内を流入室Ｒ１と流出室Ｒ２に区画するものであり、遮蔽部材１８の下端と排水トラップ７の底面７ｂとの間には、流入室Ｒ１と流出室Ｒ２を連通させる連通部Ｐが形成されている。
【００１３】
このような構造において、浴槽３内の浴槽水が一気に排水パイプ９を通り、浴槽排水口へ連通する通路Ｔを経て、浴槽排水流入口１９から排水トラップ７内に流入されると、浴槽排水は排水トラップ７の内周面７ａと遮蔽部材１８に沿って旋回して渦流となり、発生した渦流は、遮蔽部材１８にガイドされて上昇渦流となり上昇し、渦流により排水トラップ７内に装着したヘアキャッチャー１７に付着している髪の毛等を良好に剥がし、髪の毛等をヘアキャッチャー１７の中央部分にまとめることができるように構成されている。
【００１４】
ヘアキャッチャー１７は、図２および図８に示すように、縦リブ１７ａと横リブ１７ｂで多数の小開口Ｋが形成されており、このヘアキャッチャー１７には、側面部１７ｓと、底面部１７ｍが設けられ、側面部１７ｓは縦長の円錐（側面の傾斜角度の大きい円錐）を逆さまにして水平に截った形状に形成され、底面部１７ｍは扁平な円錐（側面の傾斜角度の小さい円錐）を逆さまにした形状に形成され、側面部１７ｓと底面部１７ｍとの接合部には小開口Ｋのない環状の孔無し部１７ｆが形成され、髪の毛がヘアキャッチャー１７の底側から下方へ抜け落ちないように構成されている。
【００１５】
即ち、ヘアキャッチャー１７の底面部１７ｍには、縦方向に多数の底孔１７ｇが形成されており、ヘアキャッチャー１７の底側が断面Ｕ字状の曲線であると、ヘアキャッチャーの側面に沿って真直ぐ縦方向に流れてきた髪の毛が、底側の曲線部にさしかかったところで、縦方向のまま底孔１７ｇから下方へ抜脱する可能性が大となるが、本例のように、底面部１７ｍにさしかかる個所に孔無し部１７ｆを設けておくと、髪の毛が抜脱する可能性が少なくなる。
【００１６】
また、本例のヘアキャッチャー１７の側面部１７ｓは、傾斜角度が大きい（垂直に近い）ために下方でも流入室Ｒ１の内周面７ａから大きく離れることなく、流入室Ｒ１の内周面７ａに近づけて配置され、内周面７ａに沿って旋回する渦流がヘアキャッチャー１７内に入りやすいように構成されており、ヘアキャッチャー１７内に入った渦流により、ヘアキャッチャー上のゴミや髪の毛を渦流の効果で良好に中央部にひとまとめにすることができ、髪の毛はヘアキャッチャー１７の円錐形の底面部１７ｍ中央に溜められることとなる。
【００１７】
また、本例のヘアキャッチャー１７は、図８の斜視図で示すように、一体で立ち上げて吸気筒部２７が形成されており、この吸気筒部２７内は縦方向の吸気通路２７ｃとなっており、吸気筒部２７の上端に形成された取っ手１７ｃの下面に、吸気通路２７ｃに連通する吸込口２７ｄが開口されている。
また、取っ手１７ｃの下方には、略水平な当接板１７ｅが一体形成されており、この当接板１７ｅがフランジ部材１５の上面に当接するように構成されており、当接板１７ｅと取っ手１７ｃ間には、縦方向に傾斜状のガイド板１７ｄが一体形成されている。
【００１８】
また、ガイド板１７ｄの外端と鋭角状に交差して、ガイド板１７ｄと対向状に吸気筒部２７側へ延びるガイド壁１７ｐが当接板１７ｅの他端に形成されており、このガイド壁１７ｐはガイド板１７ｄよりも高さが低く設定されている。このガイド板１７ｄとガイド壁１７ｐの交差する外端が、図７の平面配置図で示すように、ヘアキャッチャー１７の設置状態において排水口カバー８の裏側の脚部８ａに向くように設定されている。即ち、ヘアキャッチャー１７のガイド板１７ｄの延長線（図中に二点鎖線で示す）上に脚部８ａが配置されるように構成されている。
【００１９】
なお、ヘアキャッチャー１７に一体形成されている吸気筒部２７を、排水トラップ７側に固定される延長パイプ２８に上方から差し込むことで、ガイド板１７ｄ及びガイド壁１７ｐの交差する先端が排水口カバー８の脚部８ａ方向に向くように設定されており、上からヘアキャッチャー１７の吸気筒部２７を延長パイプ２８に差し込むだけで位置決めがなされ、ガイド板１７ｄ及びガイド壁１７ｐが排水口カバー８の脚部８ａ方向に向くこととなる。
このように、ヘアキャッチャー１７の吸気筒部２７と延長パイプ２８で、ガイド板１７ｄ及びガイド壁１７ｐを脚部８ａ方向に向かせる係止部が構成されている。
【００２０】
図６に示すように、排水枡６の上面に覆設されている排水口カバー８の外周の隙間から洗い場の排水が排水枡６内に流入されると、フランジ部材１５上に洗い場排水が落ちてくるが、排水溝カバー８本体の裏面四隅には図７に破線で示す脚部８ａ，８ａ，８ａ，８ａが存在し、洗い場排水に混入されている髪の毛は、ヘアキャッチャーの取っ手１７ｃに向かって流れ落ちる際に、排水口カバー８の脚部８ａに引っ掛かることとなり、髪の毛が取っ手１７ｃに引っ掛かることが防がれる。また、脚部８ａの両側に振り分けられた排水とともに流れ落ちる髪の毛は、ガイド板１７ｄに沿ってヘアキャッチャー１７の内部に良好に誘導されて、ヘアキャッチャー１７内に捕集され、ガイド板１７ｄにより髪の毛が取っ手１７ｃに引っ掛かることが防がれる。
さらには、背の低いガイド壁１７ｐに沿って排水が外側へ流されて、ガイド壁１７ｐにより髪の毛が取っ手１７ｃに引っ掛かることが良好に防がれる。
【００２１】
即ち、ガイド板１７ｄとガイド壁１７ｐにより、脚部８ａ側から流れ落ちる排水中の髪の毛は振り分けられて、取っ手１７ｃには引っ掛かることはなく、髪の毛が取っ手１７ｃに引っ掛からないために、取っ手１７ｃは汚くなることはなく綺麗な状態に維持されて、ヘアキャッチャー１７の着脱時に手が汚れることがなくなる。
なお、ガイド板１７ｄ及びガイド壁１７ｐの横方向の寸法ｂが短いと髪の毛が取っ手１７ｃに引っ掛かりやすくなるため、この寸法ｂは相当長いものに設定されている。
【００２２】
なお、排水口カバー８の脚部８ａにより両側へ振り分けられた排水中に含まれる髪の毛が引っ掛からないようにするために、図７に想像線で示すような平面視錐形状の取っ手１７ｘとしても良い。
即ち、取っ手１７ｘは、ガイド板１７ｄとガイド壁１７ｐに相当する２辺が平面視錐形状に立ち上げ形成されたもので、ヘアキャッチャー１７が取り付けられた状態で良好に排水口カバー８の脚部８ａ方向を向くように設定しておくことができる。
【００２３】
また、ヘアキャッチャー１７の吸気筒部２７の流入室中心側は、湾曲して凹み状に形成された湾曲面２７ａとなっており、内周面７ａに沿って旋回する渦流の抵抗にならないような形状に形成されている。この吸気筒部２７の下端には、下方より延長パイプ２８を差し込んで接続でき、延長パイプ２８の流入室中心側も湾曲面２８ａに形成されている。この延長パイプ２８の下端には、着脱可能に差し込まれて吸気エルボ２６が接続されており、この吸気エルボ２６の流入室中心側も渦の抵抗とならないような湾曲面２６ａに形成されている（図３を参照）。
なお、吸気筒部２７，延長パイプ２８，吸気エルボ２６の側縁は、鋭角な鋭角部２７ｂ，２８ｂ，２６ｂとなっており、渦流の抵抗とならないような鋭角形状に形成されている。
【００２４】
吸気エルボ２６の下端は、キャップ１８０から流入室Ｒ１側へ略水平に突出された突出部１８０ｂに接続されている。このキャップ１８０の突出部１８０ｂには、図１０に要部を拡大して示すように、一体状に格子状のメッシュ１８０ｄが形成されている。
なお、突出部１８０ｂは、キャップ１８０の中心より図示左側に偏心した渦流の下流側となる位置に突出されており、渦流に乱れが生じないように設定されている。
【００２５】
なお、キャップ１８０は、パッキン２９を介して遮蔽部材１８に着脱可能に取り付けられるものであり、遮蔽部材１８には、流出室Ｒ２側へ凹んで凹部１８ａが形成されており、この凹部１８ａに開口されている点検開口１８ｃに対し、このキャップ１８０の外周の爪１８０ａ，１８０ａ，１８０ａを嵌め込んで回し、点検開口１８ｃにキャップ１８０が着脱可能に、かつパッキン２９を介して水密状に取り付けられるものである。このキャップ１８０には、前述した如く、メッシュ１８０ｄを有する突出部１８０ｂが流入室Ｒ１側へ突出形成されており、この突出部１８０ｂと対向して流出室Ｒ２側へも突出して突出部１８０ｃが形成されている。
【００２６】
この流出室Ｒ２側へ突出した突出部１８０ｃには、図８及び図９に示すように、Ｌ管３０の上端の接続部３０ａが差し込み状に接続されるものである。
Ｌ管３０の下端は、拡径した椀状の拡径部３０ｂとなっており、この拡径部３０ｂの内周には雌ネジが形成されている。この拡径部３０ｂの雌ネジに螺合するネジ３１ａを形成したキャップ３１が拡径部３０ｂに着脱可能に取り付けられるものであり、キャップ３１には底面及び側面に、給気口である多数の孔３１ｂが形成されている。なお、このキャップ３１が散気部材を構成する
【００２７】
従って、ヘアキャッチャー１７の吸気筒部２７，延長パイプ２８，吸気エルボ２６，キャップ１８０，Ｌ管３０，キャップ３１が図８のように連続状に接続された状態で、図２のように排水トラップ７内に配置されるものであり、吸気筒部２７の上端の吸込口２７ｄは排水枡６内に配置されて、この吸込口２７ｄから空気を吸い込み、下端のキャップ３１の孔（給気口）３１ｂから空気を流出室Ｒ２内に供給できるように構成されている。
即ち、排水トラップ７の下流の配管内で負圧が生じ、排水トラップ７内の封水が下流側へ誘導される場合でも、吸込口２７ｄから空気を吸い込んでキャップ３１の孔（給気口）３１ｂから空気を流出室Ｒ２内に取り入れることで負圧を抑制し、封水の下流への移動を抑制して封水切れを抑制することができるので、封水切れに伴う遮蔽部材１８の下端から空気が流出室Ｒ２へ入ることにより生じるボコボコという音を抑制することができるものとなる。
【００２８】
なお、キャップ３１の孔（給気口）３１ｂは、直径が１．５ｍｍ程度の孔であり、８０個以上形成されており、気泡を微細化することによりブクブク音を小さくするように構成されている。なお、孔（給気口）３１ｂの直径は１〜３ｍｍが好ましい。孔径が小さすぎると抵抗が大きくなって良好に空気を取り入れられなくなる虞があり、孔径が大きすぎるとブクブク音を小さくする効果が不足するからである。
なお、キャップ３１を外した時の拡径部３０ｂの下端が、トラップの底面７ｂと遮蔽部材１８の下端間の連通部Ｐで構成される最小封水高ａと同じか又は下の位置になるように配置されており、常に拡径部３０ｂの下端は封水内に水没された状態に維持されて、臭いが逆流し吸込口２７ｄから洗い場へ逃げることのないように構成されている。
なお、前記メッシュ１８０ｄは、ヘアキャッチャー１７を取り外した時等に空気と共に吸気通路２７ｃ内に入ってくるゴミを捕捉するために設けられたものであり、メッシュ１８０ｄによりキャップ３１内にゴミが侵入しないように構成されている。
【００２９】
なお、本例では、図３に示す１８Ｐの部分は、遮蔽部材１８の下端が底面７ｂに当接しており、１８Ｐの部分では、遮蔽部材１８の下端に連通部Ｐが存在しないように構成されている。これにより、流入室Ｒ１に導入されたばかりの勢いの良い浴槽水を流出室Ｒ２に逃がすことなく、流入室Ｒ１内の渦流発生に向けることができるので、確実に流入室Ｒ１内で渦流が発生される構造となっている。
【００３０】
なお、流入室Ｒ１内に浴槽排水を導入する浴槽排水流入口１９は縦長楕円形状に形成されているが、浴槽３の排水栓３ａに接続された排水パイプ９が接続される接続部１９ａは真円形状であるため、この真円形状の接続部１９ａから一体で縦長楕円形状の浴槽排水流入口１９を型で形成することは困難であるため、図３及び図１１の分解図で示すように、接続部材３２で接続部１９ａと浴槽排水流入口１９が接続された構造となっている。
即ち、接続部１９ａは、箱状の差込部１９ｂと一体形成されており、この差込部１９ｂが差し込み状に接続される本体部３２ａが接続部材３２に形成されており、本体部３２ａから突出状に縦長楕円形状に差込部３２ｂが形成されており、この接続部材３２の差込部３２ｂが浴槽排水流入口１９に差し込み接続されたものとなっている。
なお、接続部材３２内には、本体部３２ａから縦長楕円形状の差込部３２ｂに連続して傾斜する縮径壁３２ｃが一体形成されている。これにより、浴槽排水流は、接続部１９ａでは断面が真円形状であり、差込部１９ｂにより高さ方向に拡がって断面が長方形状となり、差込部３２ｂにより幅方向が絞られ断面が縦長にされる。
【００３１】
なお、図３の平面図で示すように、浴槽排水流入口１９の下流側の内周面７ａに沿って開閉可能に逆止弁３４が配設されており、この逆止弁３４には軸３３が一体化され、軸３３が、渦流に抵抗を生じさせないように内周面７ａから傾斜状または湾曲状に形成された軸受７ｄに上方側へ抜き取り可能に差し込まれている。
逆止弁３４は、内周面７ａの湾曲形状に沿う傾斜状あるいは湾曲状をなす形状に形成されて、渦流に抵抗が生じないように設定されており、この逆止弁３４は軸３３を上方へ抜き取って着脱できるものであり、取り付けた状態では、浴槽排水が浴槽排水流入口１９を通り流入される時には、その勢いで良好に開くことができ、逆に洗い場パン２側から洗い場排水が上方より流入してくる時には、その水圧で良好に閉じて浴槽排水流入口１９側を閉ざし、洗い場排水が浴槽３側へ逆流するのを防ぐことができるものである。
【００３２】
流入室Ｒ１の内周面７ａ側へ開口した接続突管部３５が、図３及び図４，図１２のように外側へ突出形成されており、この接続突管部３５には、追焚導入管２４の下端が接続され、さらに追焚導入管２４の上端には、エルボ状の追焚接続管２３が接続されるものであり、この追焚接続管２３には、追焚循環口受けトレー１３に溜められた排水がトレー排水管２５を介して導入されるように、トレー排水管２５が接続されるものである。
この追焚接続管２３には、水平に突出して一対の挟圧板２３ａ，２３ａが突出形成されており、また、追焚導入管２４にも一対の挟圧板２４ａ，２４ａが縦方向に突出形成されている。
【００３３】
一方、接続突管部３５上には、排水トラップの外壁に一体状に縦方向に垂直板３６が形成されており、追焚接続管２３が取り付けられる部分にも垂直板３６が縦方向に一体形成されており、垂直板３６，３６の左右側にはそれぞれ隙間を形成させて押え板３７，３７が水平に一体形成されている。
追焚導入管２４及び追焚接続管２３のそれぞれの挟圧板２３ａ，２４ａを垂直板３６，３６に挟み付けるように差し込んで、排水トラップ７の接続突管部３５に追焚接続管２３及び追焚導入管２４を取り付けて接続することができるように構成されている。
【００３４】
なお、追焚循環口受けトレー１３の存在しない浴槽３が設置されている現場においては、このような追焚接続管２３，追焚導入管２４は取り付ける必要がなく、接続突管部３５は入れ子型により排水トラップ７の成形時に開口のない壁面に成形するものである。
また、流入室Ｒ１側には、外方向へ突出してドア下排水接続部２２が突出形成されており、このドア下排水接続部２２には、ドア下排水受け１１からのドア下排水管１２が接続されるものであるが、排水トラップ７からドア下排水受け１１側への逆流を防止する機能が付与されたキャップ３８が、このドア下排水接続部２２に流入室Ｒ１側から取り付けられる。
【００３５】
このキャップ３８は、図１３に取り外した状態を、図１４に取り付けた状態を示し、また図１５に取付状態の縦断面構成図で示すような構造となっており、ドア下排水接続部２２の内周面にその外周面が当接される差込筒部３９の室内側には、渦流の抵抗にならないように内周面７ａと連続する湾曲面３９ａが形成され、この湾曲面３９ａから室内側へ突出して水平状の摘み部４０が形成されており、摘み部４０から垂直に垂下片４１が一体形成され、垂下片４１は湾曲状に形成されて、その裏側に、渦流の旋回方向の下流側に向かって横孔４２が開口されている。
即ち、垂下片４１は、渦流の上流側は閉ざされ、下流側が開口された横孔４２となっており、ドア下排水は、この横孔４２から内周面７ａに沿って旋回する渦流の下流側に向かって流されることとなる。従って、渦流は垂下片４１に遮られてドア下排水接続部２２側へ流出することが防がれ、ドア下排水受け１１側への逆流が良好に防がれるように構成されている。
【図面の簡単な説明】
【００３６】
【図１】浴室の概略斜視構成図である。
【図２】排水トラップの縦断面構成図である。
【図３】排水トラップを水平面内で切断した平面構成図である。
【図４】排水トラップの上面側から見た斜視構成図である。
【図５】排水トラップを違う方向から見た斜視構成図である。
【図６】排水トラップを排水枡に取り付けた状態の概略配置構成図である。
【図７】ヘアキャッチャーとその上方の排水枡との配置状態を示す平面拡大構成図である。
【図８】ヘアキャッチャーとキャップと吸気通路の構成部材の組み付け状態の斜視構成図である。
【図９】キャップとＬ管との分解斜視図である。
【図１０】吸気通路が接続されるキャップに形成された突出部の流入室側から見た拡大構成図である。
【図１１】浴槽排水流入口に取り付けられる接続部材の分解斜視構成図である。
【図１２】浴槽の追焚循環口からの排水を取り込む構成部材の分解斜視図である。
【図１３】ドア下排水を取り込むドア下排水接続部に内側からキャップを嵌め込む前の分解斜視図である。
【図１４】キャップを嵌め込んだ状態の斜視構成図である。
【図１５】キャップの嵌め込み状態の縦断面構成図である。
【符号の説明】
【００３７】
１  浴室
２  洗い場パン
３  浴槽
６  排水枡
７  排水トラップ
７ａ  内周面
７ｂ  底面
７ｄ  軸受
７ｅ  天面
８  排水口カバー
９  排水パイプ
１１  ドア下排水受け
１２  ドア下排水管
１３  追焚循環口受けトレー
１４  排出管
１５  フランジ部材
１７  ヘアキャッチャー
１７ａ  縦リブ
１７ｂ  横リブ
１７ｃ  取っ手
１７ｄ  ガイド板
１７ｅ  当接板
１７ｆ  孔無し部
１７ｇ  底孔
１７ｓ  側面部
１７ｍ  底面部
１７ｐ  ガイド壁
１８  遮蔽部材
１８ａ  凹部
１８ｃ  点検開口
１９  浴槽排水流入口
１９ａ  接続部
１９ｂ  差込部
２０  流出口
２１  封水壁
２２  ドア下排水接続部
２３  追焚接続管
２３ａ，２４ａ  挟圧板
２４  追焚導入管
２６  吸気エルボ
２６ａ，２７ａ，２８ａ  湾曲面
２６ｂ，２７ｂ，２８ｂ  鋭角部
２７  吸気筒部
２７ｃ  吸気通路
２７ｄ  吸込口
２８  延長パイプ
２９  パッキン
３０  Ｌ管
３０ａ  接続部
３０ｂ  拡径部
３１  キャップ
３１ａ  ネジ
３１ｂ  孔（給気口）
３２  接続部材
３２ａ  本体部
３２ｂ  差込部
３２ｃ  縮径壁
３３  軸
３４  逆止弁
３５  接続突管部
３６  垂直板
３７  押え板
３８  キャップ
３９  差込筒部
３９ａ  湾曲面
４０  摘み部
４１  垂下片
４２  横孔
１８０  キャップ
１８０ａ  爪
１８０ｂ，１８０ｃ  突出部
１８０ｄ  メッシュ
Ｒ１  流入室
Ｒ２  流出室
Ｋ  小開口
Ｗ  封水面
Ｐ  連通部
【図１】
2008082114.tif 000003
【図２】
2008082114.tif 000004
【図３】
2008082114.tif 000005
【図４】
2008082114.tif 000006
【図５】
2008082114.tif 000007
【図６】
2008082114.tif 000008
【図７】
2008082114.tif 000009
【図８】
2008082114.tif 000010
【図９】
2008082114.tif 000011
【図１０】
2008082114.tif 000012
【図１１】
2008082114.tif 000013
【図１２】
2008082114.tif 000014
【図１３】
2008082114.tif 000015
【図１４】
2008082114.tif 000016
【図１５】
2008082114.tif 000017